(57)【要約】【課題】柔軟性を有する合成樹脂製の袋自体が、開口状態を維持可能に自立することができ、古新聞の回収袋やゴミ入れ容器として利用可能な自立型袋を提供する。【解決手段】柔軟性を有する合成樹脂シートからなる袋であって、前記袋を開口して使用するときに底辺部６を形成する部分を除いた側辺部５に、該側辺５ａに沿って隣り合うシートを接合加工して自立支持部１０を形成したことを特徴とする自立型袋。【選択図】図１
2011031972.tif 000002
【特許請求の範囲】
【請求項１】
柔軟性を有する合成樹脂シートからなる袋であって、前記袋を開口して使用するときに底辺部を形成する部分を除いた側辺部に、該側辺に沿って隣り合うシートを接合加工して自立支持部を形成したことを特徴とする自立型袋。
【請求項２】
前記袋が、柔軟性を有する合成樹脂シートからなる筒状体の対向する部分を断面Ｍ字状に折り畳んで形成した一対の側面部と、前記一対の側面部に挟まれた一対の平面部とからなり、前記一対の平面部の下端を前記側面部と共にシールして形成したことを特徴とする請求項１に記載の自立型袋。
【請求項３】
前記接合加工が熱圧着加工であることを特徴とする請求項１又は２に記載の自立型袋。
【請求項４】
前記自立支持部を各側辺から２〜１０ｍｍ離れた部分に形成したことを特徴とする請求項１乃至３の何れか一項に記載の自立型袋。
【請求項５】
前記自立支持部の上方に、間隔を空けて第２の接合加工部を形成したことを特徴とする請求項１乃至４の何れか一項に記載の自立型袋。
【請求項６】
前記袋の上部に、一対の吊下部と、一対の紐状部を、前記袋と一体的に形成したことを特徴とする請求項１乃至５の何れか一項に記載の自立型袋。
【発明の詳細な説明】
【技術分野】
【０００１】
本発明は、柔軟性を有する合成樹脂製の袋自体が、開口状態を維持可能に自立することのできる自立型袋に関する。
【背景技術】
【０００２】
従来、古新聞を回収するために、新聞販売店が購読者に配布している回収袋には、紙製の袋が広く用いられている。この紙製の回収袋は、配布時には畳んでおくことができ、使用時に開くと大きく開口して自立するから、読み終わった新聞を入れ易くて便利である。
【０００３】
一方、紙製の回収袋は、製造コストが嵩むために、近年では、安価なポリエチレン製の袋を古新聞の回収に用いるようになっている。
【０００４】
また、柔軟性を有する袋に古新聞等を収納しやすくするために、収納袋の中に挿入して袋の壁を鉛直状に支持する袋支持体や、この袋支持体を備えた収納袋は知られている（特許文献１参照）。
【先行技術文献】
【特許文献】
【０００５】
【特許文献１】実開平７−３６８６８号公報
【発明の概要】
【発明が解決しようとする課題】
【０００６】
しかし、ポリエチレン製の回収袋は、薄くて柔軟性を有するという特性ゆえに、袋単体では自立せず、古新聞を入れるための開口状態を維持することができないという課題があった。このため、新聞の購読者は、読み終わった新聞を何処かに溜めておき、回収時に古新聞を回収袋に移す必要があり、不便であった。
【０００７】
また、特許文献１に記載の支持体を備えた収納袋は、新聞販売店が購読者に配布する回収袋として使用する場合には、支持体も一緒に配布する必要があるために、かえってコスト増になるという問題があった。
【０００８】
また、ポリエチレン製の袋をゴミ入れ袋として使用する場合には、袋をゴミ箱に被せたり、袋支持体で支持したりする必要があるが、袋単体で自立でき、ゴミ入れ容器として利用できれば便利である。
【０００９】
そこで、本発明は、柔軟性を有する合成樹脂製の袋自体が、開口状態を維持可能に自立することができ、古新聞の回収袋やゴミ入れ容器として利用可能な自立型袋を提供するものである。
【課題を解決するための手段】
【００１０】
本発明は、上記課題を解決するために、柔軟性を有する合成樹脂シートからなる袋であって、前記袋を開口して使用するときに底辺部を形成する部分を除いた側辺部に、該側辺に沿って隣り合うシートを接合加工して自立支持部を形成したことを特徴とする自立型袋を提供するものである。
【００１１】
また、本発明の自立型袋は、前記袋が、柔軟性を有する合成樹脂シートからなる筒状体の対向する部分を断面Ｍ字状に折り畳んで形成した一対の側面部と、前記一対の側面部に挟まれた一対の平面部とからなり、前記一対の平面部の下端を前記側面部と共にシールして形成したことを特徴とする。
【００１２】
また、本発明の自立型袋は、前記接合加工が熱圧着加工であることを特徴とする。
【００１３】
また、本発明の自立型袋は、前記自立支持部を各側辺から２〜１０ｍｍ離れた部分に形成したことを特徴とする。
【００１４】
また、本発明の自立型袋は、前記自立支持部の上方に、間隔を空けて第２の接合加工部を形成したことを特徴とする。
【００１５】
また、本発明の自立型袋は、前記袋の上部に、一対の吊下部と、一対の紐状部を、前記袋と一体的に形成したことを特徴とする。
【発明の効果】
【００１６】
本発明の自立型袋は、柔軟性を有する合成樹脂シートからなる袋であって、前記袋を開口して使用するときに底辺部を形成する部分を除いた側辺部に、該側辺に沿って隣り合うシートを接合加工して自立支持部を形成した構成を有することにより、袋を開口して使用するときに、袋が自立支持部によって支持されて、袋単独で開口状態を維持して自立することができるから、袋をゴミ箱に被せたり袋支持体で支持したりする必要がなく、低コストで簡易のゴミ箱や古新聞回収袋を提供することができる。また、接合加工していない底辺部は柔軟性を有しているから、袋を簡単に開くことができる効果がある。
【００１７】
また、本発明の自立型袋は、前記袋が、柔軟性を有する合成樹脂シートからなる筒状体の対向する部分を断面Ｍ字状に折り畳んで形成した一対の側面部と、前記一対の側面部に挟まれた一対の平面部とからなり、前記一対の平面部の下端を前記側面部と共にシールして形成したことにより、シール部分を少なくして袋の製造コストを低減することができると共に、底辺部に接合部が形成されないから、底辺部の柔軟性を維持することができる効果がある。
【００１８】
また、本発明の自立型袋は、前記接合加工が熱圧着加工であることにより、簡単且つ低コストで自立支持部を形成することができる効果がある。
【００１９】
また、本発明の自立型袋は、前記自立支持部を各側辺から２〜１０ｍｍ離れた部分に形成したことにより、と側辺との相互作用によって、袋の自立性を向上させることができる。
【００２０】
また、本発明の自立型袋は、前記自立支持部の上方に、間隔を空けて第２の接合加工部を形成したことにより、第２の接合加工部と自立支持部の間で袋を内側に折り曲げることができ、第２の接合加工部が袋の内側に折り曲げた部分を自立支持部に沿って保持することができる効果がある。
【００２１】
また、本発明の自立型袋は、前記袋の上部に、一対の吊下部と、一対の紐状部を、前記袋と一体的に形成したことにより、一対の吊下部を把持して袋を容易に持ち運ぶことができると共に、袋が古新聞やゴミで一杯になったときには、一対の紐状部を互いに結んで開口部を閉じることができる。また、吊下部と紐状部を袋と一体的に形成したことにより、これらを低コストで設けることができる効果がある。
【図面の簡単な説明】
【００２２】
【図１】本発明自立型袋の一実施例を示す正面図。
【図２】図１の実施例を示す断面図。
【図３】本発明自立型袋の他の実施例を示す正面図。
【図４】図３の実施例を示す断面図。
【図５】その一実施例の使用方法を示す斜視図。
【図６】その一実施例の使用方法を示す斜視図。
【図７】その一実施例の使用方法を示す斜視図。
【図８】その一実施例の使用状態を示す斜視の写真図。
【発明を実施するための形態】
【００２３】
本発明の実施の形態を図示する実施例に基づいて説明する。
本発明に係る自立型袋は、柔軟性を有する合成樹脂シートからなる袋であって、前記袋を開口して使用するときに底辺部６を形成する部分を除いた側辺部５に、該側辺５ａに沿って隣り合うシートを接合加工して自立支持部１０を形成してある。
【実施例１】
【００２４】
図示の実施例において、袋本体１は、ポリエチレンシートからなる筒状体の対向する部分を断面Ｍ字状に折り畳んで形成した一対の側面部３，３と、一対の側面部３，３に挟まれた一対の平面部２，２とからなり、一対の平面部２，２の下端を側面部３，３と共にシールしてシール部９を形成してある。
【００２５】
図２に示すように、袋本体１は、筒状体の対向する部分を断面Ｍ字状に折り畳んで一対の側面部３，３を形成すると共に、一対の側面部３，３に挟まれた部分に一対の平面部２，２を形成し、側面部３と平面部２の境界に側辺部５を形成してある。
【００２６】
図１に示すように、袋本体１は、筒状体の下端を真直ぐに切断すると共に、筒状体の上端を、両サイド及び中央部が帯状に突出した山の字状に切断している。
【００２７】
図１に示すように、袋本体１は、対向する一対の平面部２，２の下端を、内側に折り畳まれた側面部３，３の下端と共に、ヒートシールしてシール部９を形成し、袋を形成している。
【００２８】
袋本体１は、対向する平面部２，２の両サイド上部の帯状部上端を、それぞれヒートシールしてシール部９，９を形成し、ループ状の吊下部７，７を袋本体１と一体的に形成している。また、対向する平面部２，２の中央上部の帯状部は、紐状部８，８を袋本体１と一体的に形成している。
【００２９】
袋本体１は、図５〜７に示すように袋を開口して使用するときに、底辺部６を形成する部分を除いた側辺部５に、この側辺５ａに沿って隣り合う平面部２のシートと側面部３のシートを熱圧着加工し、自立支持部１０を形成してある。
【００３０】
図１に示す実施例では、自立支持部１０は、袋本体１の下端に形成したシール部９から、側面部３の幅長の１／２の長さだけ間隔を空けて、側辺５ａに沿って設けている。また、本実施例では、底面部４の大きさが、新聞を四つ折りにしたサイズになるように構成してある。
【００３１】
また、図１に示す実施例では、自立支持部１０は、側辺５ａから５〜６ｍｍ離れた部分に形成している。自立支持部１０は、側辺５ａの極近くに設けると袋の自立性が悪くなり、側辺５ａから余りに離れて設けると袋の容積が小さくなると共に自立性も向上しないから、各側辺５ａから２〜１０ｍｍ離れた部分に形成してあることが好ましい。
【００３２】
また、図１に示す実施例では、自立支持部１０は筒状部の上端から数ｃｍ下の位置まで形成し、この自立支持部１０の上方に数ｍｍの間隔を空けて、側辺５ａに沿って隣り合う平面部２のシートと側面部３のシートを熱圧着加工し、第２の接合加工部１１を形成してある。なお、この第２の接合加工部１１は設けない構成にすることも可能である。
【００３３】
自立支持部１０及び接合加工部１１は、熱圧着加工により形成されるものに限られず、超音波溶着や接着など、側辺５ａに沿って隣り合う平面部２のシートと側面部３のシートを接合できる種々の加工により形成することができる。
【００３４】
また、自立支持部１０及び接合加工部１１の幅は、数ｍｍと広くすることもできるが、側辺部５に接合部を形成して強度を付与できればよく、１ｍｍ程度で充分に自立性を維持することが可能である。
【００３５】
なお、袋本体１は、図１に示すように、吊下部７及び紐状部８を設けることなく、筒状体の上端を真直ぐに切断した構成にすることも可能である。また、吊下部７及び紐状部８は、袋本体１と一体的に形成されるものに限られず、接着などにより袋本体１に取り付けることも可能である。
【００３６】
また、袋本体１は、ポリエチレンシートで形成されていることが好ましいが、柔軟性を有する他の合成樹脂シートにより形成することも可能である。また、平面部２及び側面部３には、販売店名などの情報を印刷することができる他、デザインを施して美観を高めたり、広告ＰＲその他の媒体面として用いたりすることもできる。
【００３７】
次に、本発明に係る自立型袋の使用方法について説明する。
【００３８】
袋本体１は、図１に示すように、折り畳まれた状態で新聞の購読者に配布される。図５に示すように、購読者が袋本体１を開口し、底面部４を下へ押し下げると、四角な底辺部６が形成される。このとき、四つ折りにした新聞を袋本体１の中に入れて、底面部４を下へ押し下げると、より簡単である。袋本体１は、４つの側辺部５に形成されている自立支持部１０により、四角柱の態様を保つことができ、開口状態を維持して自立することができる。
【００３９】
図６に示すように、袋本体１は、自立支持部１０と接合加工部１１の間を折り目にして、そこから上の部分を内側に折り返すと、接合加工部１１が内側に折り返した部分を自立支持部１０に沿って保持して、綺麗な直方体の新聞回収袋を形成することができる。
【００４０】
袋本体１が古新聞で一杯になったときには、図７に示すように、内側に折り返していた部分を引き出し、一対の紐状部８，８を互いに結んで開口部を閉じることができる。購読者は、一対の吊下部７，７を把持して古新聞を容易に回収場所に運ぶことができる。
【実施例２】
【００４１】
袋本体１が腰のある素材で形成されている等の場合には、自立支持部１０及び接合加工部１１は、図３及び図４に示すように、接合部の幅を広く設けて、各側辺５ａに接して形成することも可能である。
【００４２】
また、自立支持部１０及び接合加工部１１は、各側辺部５に更に合成樹脂シートを添えて、熱圧着加工により形成することも可能である。
【００４３】
なお、本発明に係る自立型袋は、古新聞の回収袋に限られず、自立型ゴミ入れ袋や、物入れ袋として用いることも可能である。また、袋本体１は、紙おむつなどを入れた場合でも、そのまま袋本体１の上部を結んで処分することができるから、便利である。
【符号の説明】
【００４４】
１  袋本体
２  平面部
３  側面部
４  底面部
５  側辺部
５ａ  側辺
６  底辺部
７  吊下部
８  紐状部
９  シール部
１０  自立支持部
１１  接合加工部
【図１】
2011031972.tif 000003
【図２】
2011031972.tif 000004
【図３】
2011031972.tif 000005
【図４】
2011031972.tif 000006
【図５】
2011031972.tif 000007
【図６】
2011031972.tif 000008
【図７】
2011031972.tif 000009
【図８】
2011031972.tif 000010